【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
ＣＤＭＡ通信システムにおいて受信信号を処理する方法であって、
受信信号から得られるサンプルの雑音特性を求め、雑音は入力雑音の自己相関行列により特徴付けられ、かつサンプルは循環系列の符号であり、
自己相関行列および循環系列に基づいた補正係数を生成し、
補正係数をメモリに記憶し、
サンプルについての全体システムインパルス応答を推定し、
推定された全体システムインパルス応答、補正係数および決定された雑音特性に基づき、デジタル有限インパルス応答（FIR）フィルタに関する係数集合を導き出し、
データ信号を受信し、
係数集合を用いてデータ信号から導き出されたサンプルをフィルタリングすることを含む信号処理方法。
【請求項２】
全体システムインパルス応答が、
ｈ（ｔ）＝ｐ（ｎ）＊ｃ（ｔ）＊ｒ（ｔ）として与えられ、
ここで“＊”は畳み込みを示し、
ｐ（ｎ）は送信整形パルス、
ｃ（ｔ）は通信チャネルインパルス応答、
ｒ（ｔ）は受信機インパルス応答である請求項１に記載の信号処理方法。
【請求項３】
全体システムインパルス応答を推定することが、
【数１】
2005534253.tif 000001
ことを含む請求項２に記載の信号処理方法。
【請求項４】
補正係数が（ＸＨＲnn−１Ｘ）−１で与えられ、
ここにＸは送信された符号の値の行列であり、Ｒnnは自己相関行列である請求項１に記載の信号処理方法。
【請求項５】
補正係数が事前に計算される請求項４に記載の信号処理方法。
【請求項６】
全体システムインパルス応答が最適線形不偏推定器で推定される請求項１に記載の信号処理方法。
【請求項７】
全体システムインパルス応答が相関推定器で推定される請求項１に記載の信号処理方法。
【請求項８】
推定は、サンプルとサンプルの既知の値との相関を取って、推定された全体システムインパルス応答を得ることを含む請求項７に記載の信号処理方法。
【請求項９】
係数集合ｆは、
【数２】
2005534253.tif 000002
た全体システムインパルス応答である請求項１に記載の信号処理方法。
【請求項１０】
推定は、サンプルを前処理して、雑音をほぼ白色化し、
前処理されたサンプルとサンプルの既知の値との相関を取って、相関結果を求め、
相関結果の補正係数を加えて、推定された全体システムインパルス応答を求めることを含む、請求項１に記載の信号処理方法。
【請求項１１】
符号は循環疑似ランダム雑音（PN）系列のパイロット符号である請求項１に記載の信号処理方法。
【請求項１２】
受信信号のエネルギーの大部分についての近似中心に相当するタイミングを決定することをさらに含み、この決定されたタイミングに基づいて、デジタルフィルタを中心に一致させる、請求項１に記載の信号処理方法。
【請求項１３】
決定されたタイミングは、受信信号内で検出される最強のマルチパス成分のタイミングに相当する、請求項１２に記載の信号処理方法。
【請求項１４】
コンピュータ読出し可能な媒体に具体化される請求項１乃至１３のいずれか1項に記載の信号処理方法。
【請求項１５】
ＣＤＭＡ通信システムにおいて、受信信号を処理するように作動可能な装置であって、
受信信号から得られるサンプルの雑音特性を得る手段であって、雑音は入力雑音の自己相関行列により特徴付けられ、かつサンプルは循環系列の符号であり、
自己相関行列および循環系列に基づいた補正係数を生成する手段、
補正係数をメモリに記憶する手段、
サンプルについての全体システムインパルス応答を推定する手段、
推定された全体システムインパルス応答、補正係数および決定された雑音特性に基づき、デジタル有限インパルス応答（FIR）フィルタに関する係数集合を導き出す手段、
データ信号を受信する手段、および
係数集合を用いてデータ信号から導き出されたサンプルをフィルタリングする手段を含む装置。
【請求項１６】
全体システムインパルス応答が、
ｈ（ｔ）＝ｐ（ｎ）＊ｃ（ｔ）＊ｒ（ｔ）として与えられ、
ここで“＊”は畳み込みを示し、
ｐ（ｎ）は送信整形パルス、
ｃ（ｔ）は通信チャネルインパルス応答、
ｒ（ｔ）は受信機インパルス応答である請求項１５に記載の装置。
【請求項１７】
全体システムインパルス応答を推定する手段が、
【数３】
2005534253.tif 000003
手段を含む請求項１６に記載の装置。
【請求項１８】
補正係数が（ＸＨＲnn−１Ｘ）−１で与えられ、
ここにＸは送信された符号の値の行列であり、Ｒnnは自己相関行列である請求項１５に記載の装置。
【請求項１９】
補正係数が事前に計算される請求項１８に記載の装置。
【請求項２０】
全体システムインパルス応答を推定する手段が最適線形不偏推定器で実施される請求項１５に記載の装置。
【請求項２１】
全体システムインパルス応答を推定する手段が相関推定器で実施される請求項１５に記載の装置。
【請求項２２】
全体システムインパルス応答を推定する手段が、サンプルとサンプルの既知の値との相関を取って、推定された全体システムインパルス応答を得る手段を含む請求項２１に記載の装置。
【請求項２３】
フィルタ係数ｆは、
【数４】
2005534253.tif 000004
請求項１５乃至２２のいずれか1項に記載の装置。
【請求項２４】
全体システムインパルス応答を推定する手段が、
受信信号のエネルギーの大部分についての近似中心に相当するタイミングを決定する手段をさらに含み、デジタルフィルタが決定されたタイミングに基づいて中心に一致される、請求項１５に記載の装置。
【請求項２５】
補正係数について事前に計算された値を記憶するように作動可能なメモリをさらに含む、請求項１５乃至２１のいずれか１項に記載の装置。
【請求項２６】
符号は循環疑似ランダム雑音（PN）系列のパイロット符号である請求項２３に記載の装置。
【請求項２７】
全体システムインパルス応答を推定する手段が、
FIRフィルタを中心に一致させるタイミング信号を提供するタイミング推定器の手段をさらに含む請求項２３に記載の装置。
【請求項２８】
タイミング推定器の手段が、受信信号のエネルギーの大部分についての近似中心に相当するタイミングを決定するタイミング信号を提供するように適用される、請求項２７に記載の装置。
【請求項２９】
全体システムインパルス応答を推定する手段が、
受信されたサンプルと送信された符号との間の相互相関を行うように適用された相関器手段をさらに含む、請求項１５に記載の装置。
【請求項３０】
全体システムインパルス応答を推定する手段が、
相関器からの相関結果をメモリからの補正係数と乗算するように適用された行列プロセッサをさらに含む、請求項２９に記載の装置。
【請求項３１】
請求項１５乃至３０のいずれか1項の装置を含む端末。
【手続補正２】
【補正対象書類名】明細書
【補正対象項目名】０００３
【補正方法】変更
【補正の内容】
【０００３】
ＣＤＭＡシステムにおける受信機は一般に、レイク受信機を用いて、無線通信チャネルを介して伝送された変調信号を処理する。レイク受信機は通常、サーチャ素子および複数の復調素子を含み、これら素子は一般に、それぞれ、「サーチャ」および「フィンガ」と呼ばれる。ＣＤＭＡ波形は比較的広帯域であるため、通信チャネルは有限数の分離可能なマルチパス成分から成ると仮定される。各マルチパス成分は、特定の時間遅延および特定の複合利得により特徴付けられる。次に、サーチャは受信信号内の強いマルチパス成分を探索し、フィンガは、サーチャで探索された最強のマルチパス成分に割り当てられる。各フィンガは割り当てられたマルチパス成分を処理して、このマルチパス成分に符号推定値を与える。次に、すべての割り当てられたフィンガからの符号推定値を合算して、最終の符号推定値を求める。レイク受信機は、小さい信号対干渉雑音比（ＳＩＮＲ）で作動するＣＤＭＡシステムに良好な性能を提供できる。
レイク受信機はH．Boujema  等にとり、“Rake receivers for direct pread spectrum systems,”Annals of Telecommunications, Presses  Polytechniques et Universitaires  Ramandes, Lausanne, CH, vol.56, no. 5/6.; ay 2001 (2001-05), pp.291-305, XP001082131, ISSN:0003-4347に開示される。
レイク受信機と働くように設計され、チャネル推定ユニットと組み合わされた等化フィルタを採用している受信機は、ＥＰ１１２８５６９Ａ１に開示され、そこにレイク受信方法がＣＤＭＡセルラシステムについて不可欠として記述されている。